(57)【要約】【課題】  貯水室内の貯水の凍結を防止して駆動モータを確実に駆動させるミスト発生装置を提供する。【解決手段】  運転スイッチ４２が操作されたら温度センサ２３で貯水室８内の水の温度を検知し、検知された温度が０℃未満であれば貯水室８内の水が凍結しているとして、駆動モータ１３の駆動を停止させて加熱ヒータ２２をＯＮにして貯水室８内の水を加熱し、温度センサ２３で検知された温度が０℃以上となったら、貯水室８内の水は解氷したとして加熱ヒータ２２をＯＦＦにして駆動モータ１３の駆動を開始することで、器具本体１の周囲の温度が低く貯水室８内の水が凍結する虞があっても、駆動軸１８の周囲にある水を解氷してから駆動モータ１３の駆動を開始するので、確実に室内へナノミストと負イオンを供給可能であり、駆動モータ１３の故障を防止できる。【選択図】  図４
2014142084.tif 000002
【特許請求の範囲】
【請求項１】
器具本体と、該器具本体内にあり水を貯留する貯水室と、該貯水室内の貯水を加熱する加熱ヒータと、前記貯水室内の貯水に下端を水没させ、回転により貯水を汲み上げて飛散させる筒状の回転体と、該回転体を回転駆動させる駆動モータと、前記回転体の回転により飛散された貯水が衝突する衝突体と、該衝突体で貯水が破砕されることで発生するナノミストと負イオンを室内に供給する送風機と、前記貯水室内の温度を検知する温度センサと、前記駆動モータに接続され前記貯水室内を貫通して前記回転体及び前記送風機を軸支する駆動軸と、前記駆動モータの駆動を開始する運転スイッチと、前記貯水室内の貯水の温度を設定温度に保持するよう前記加熱ヒータの出力を制御すると共に、前記運転スイッチが操作されたら前記駆動モータを駆動させ、ナノミスト及び負イオンを室内に供給するミスト運転を開始する制御部とを備えたミスト発生装置において、前記制御部は、前記運転スイッチが操作されたら前記温度センサで検知された温度を確認し、前記温度センサで検知された温度が所定値未満であれば、前記駆動モータの駆動を停止させ、前記加熱ヒータをＯＮ状態にすることを特徴とするミスト発生装置。
【請求項２】
前記制御部は、前記温度センサで検知された温度が所定値以上となったら、前記駆動モータを駆動させることを特徴とする請求項１記載のミスト発生装置。
【発明の詳細な説明】
【技術分野】
【０００１】
この発明は、ナノミストと負イオンを発生させるミスト発生装置に関するものである。
【背景技術】
【０００２】
従来、この種のものにおいて、水を貯留する貯水室と、該貯水室内の貯水を加熱する加熱ヒータと、前記貯水室内の貯水に下端を水没させ、回転により貯水を汲み上げて飛散させる筒状の回転体と、該回転体を回転駆動させる駆動モータと、前記回転体の回転により飛散された貯水が衝突する衝突体と、該衝突体で貯水が破砕されることで発生するナノミストと負イオンを室内に供給する送風機とを備えたミスト発生装置において、運転スイッチが操作されたら駆動モータを駆動させ、ミスト発生装置が設置された室内にナノミストと負イオンを供給するものがあった。
【先行技術文献】
【特許文献】
【０００３】
【特許文献１】特開２０１２−２２００５８号公報
【発明の概要】
【発明が解決しようとする課題】
【０００４】
しかし、この従来のものでは、ミスト発生装置が設置された周囲の温度が低くなると貯水室内の水が凍結して、駆動モータに接続された駆動軸が動作不能となるため、運転スイッチを操作しても回転体及び送風機が動作せず、室内にナノミストと負イオンを供給できなくなる問題があり、また、駆動モータに無理な負荷が加わって故障することがあった。
【課題を解決するための手段】
【０００５】
上記課題を解決するために、本発明の請求項１では、器具本体と、該器具本体内にあり水を貯留する貯水室と、該貯水室内の貯水を加熱する加熱ヒータと、前記貯水室内の貯水に下端を水没させ、回転により貯水を汲み上げて飛散させる筒状の回転体と、該回転体を回転駆動させる駆動モータと、前記回転体の回転により飛散された貯水が衝突する衝突体と、該衝突体で貯水が破砕されることで発生するナノミストと負イオンを室内に供給する送風機と、前記貯水室内の温度を検知する温度センサと、前記駆動モータに接続され前記貯水室内を貫通して前記回転体及び前記送風機を軸支する駆動軸と、前記駆動モータの駆動を開始する運転スイッチと、前記貯水室内の貯水の温度を設定温度に保持するよう前記加熱ヒータの出力を制御すると共に、前記運転スイッチが操作されたら前記駆動モータを駆動させ、ナノミスト及び負イオンを室内に供給するミスト運転を開始する制御部とを備えたミスト発生装置において、前記制御部は、前記運転スイッチが操作されたら前記温度センサで検知された温度を確認し、前記温度センサで検知された温度が所定値未満であれば、前記駆動モータの駆動を停止させ、前記加熱ヒータをＯＮ状態にするものである。
【０００６】
また、請求項２では、前記制御部は、前記温度センサで検知された温度が所定値以上となったら、前記駆動モータを駆動させるものである。
【発明の効果】
【０００７】
この発明の請求項１によれば、運転スイッチが操作されたら温度センサで検知された温度を確認し、検知された温度が所定値未満であれば、前記駆動モータの駆動を停止させ、前記加熱ヒータをＯＮ状態にするので、器具本体が設置された周囲の温度が低く、貯水室内の貯水が凍結する虞があっても、加熱ヒータをＯＮ状態にして貯水室内の貯水の温度を高めることで、駆動モータに接続された駆動軸の回転が阻害されず、駆動モータに無理な負荷が加わることがないため、駆動モータの故障を防止できる。
【０００８】
また、温度センサで検知された温度が所定値以上となったら、駆動モータを駆動させるので、器具本体周囲の温度が低くても駆動モータに接続された駆動軸を確実に回転させることができ、運転スイッチ操作後に室内へナノミストと負イオンを供給可能となる。
【図面の簡単な説明】
【０００９】
【図１】この発明の一実施形態のミスト発生装置を示す概略構成図
【図２】同一実施形態のミスト発生装置のブロック構成図
【図３】同一実施形態のミスト発生装置の操作部を説明する図
【図４】同一実施形態の運転開始時の制御を説明するフローチャート
【発明を実施するための形態】
【００１０】
次に、この発明の一実施形態のミスト発生装置を図１および図２に基づき説明する。
１は室内の空気清浄や加湿、人の顔に直接ナノミストと負イオンを当てて美顔するミスト発生装置の器具本体で、中央部には蓋体２に固定され吸引口３から吸引された室内空気を、中央で回転駆動するシロッコファンからなる送風機４へ案内する円筒状の案内筒５が備えられ、この案内筒５には、送風機４を覆うように送風機４下方まで垂下した送風筒６が設けられている。
【００１１】
７は前記案内筒５を覆った処理室で、処理室７の下部には円形椀状でアルミダイキャスト製の貯水室８が設けられ、この貯水室８には、給水タンク９がセットされた定水位室１０が通水路１１を介して連通しており、給水タンク９の高さ方向の落差で水を供給することで、貯水室８内が常時一定水位に保たれる。また、１２は定水位室１０内に設けられ、貯水室８及び定水位室１０に一定水位以上の貯水があるとき、水位有りを検知する水位検知信号を出力するフロートセンサである。
【００１２】
１３は貯水室８下方で貯水室８を支持する駆動モータであり、全周がカバー体１４で覆われ、器具本体１の底部を構成する基板１５に固定されており、さらにカバー体１４の外周壁に外方へ突出した樋状の流水溝１６を一周形成している。
【００１３】
１７は貯水室８の貯水に下部を水没させ、この貯水室８を貫通して送風機４を回転させる駆動軸１８に軸支された筒状の回転体であり、この回転体１７は中空逆円錐形で上方に向かって径が徐々に拡大するものであり、回転体１７が回転することによる回転の遠心力で貯水室８の貯水を汲み上げ、回転体１７の外壁および内壁を伝わせて押し上げて、回転体１７の外壁を伝わせて押し上げた貯水を周囲に飛散させると共に、回転体１７の内壁を伝わせて押し上げた貯水を回転体１７の上端に形成された複数の飛散口１９から周囲に飛散させるものである。
【００１４】
２０は回転体１７の上部外周に所定間隔を保持して位置し、回転体１７と共に回転する円筒状の多孔体で、この多孔体２０にはその全周壁に多数のスリットや金網やパンチングメタル等から成る多孔部２１が形成されており、回転体１７の回転による遠心力で貯水室８内の水を汲み上げると共に空気を飛散させ、多孔部２１を通過させたり、ぶつけて破砕させることで、水の粒子を微細化してナノメートル（ｎｍ）サイズのミストを生成すると共に、水の粒子の微細化によるレナード効果で負イオンを発生させるものである。また、多孔部２１を通過した水の粒子は、前記多孔体２０の外周の送風筒６の内壁に衝突して微細化され、前記多孔体２０と前記送風筒６とで衝突体が構成されているものである。
【００１５】
２２は貯水室８外周を巻回して備えられ、貯水室８内の貯水を加熱する加熱ヒータであり、送風量が「強」に設定されると、貯水室８内の貯水温度を設定温度の３８℃前後に、送風量が「弱」に設定されると、貯水室８内の貯水温度を設定温度の３４℃前後に加熱保温して吹き出し温度を３０℃程度に保持するものであり、貯水室８の底部に設置され、貯水室８内の水の温度を検知する温度センサ２３の検知温度によって、加熱ヒータ２２がＯＮ／ＯＦＦされて所定温度に保持するもので、加熱ヒータ２２を強制的にＯＦＦにして貯水室８内の水を加温しないモードも設定可能としている。
【００１６】
２４は送風筒６や多孔体２０の下端と対向して貯水室８上面を覆った皿状の水流阻止手段で、中央部には回転体１７の挿通穴２５が形成されており、この挿通穴２５から外周に延びる支持片２６によって水面が区画されることで、回転体１７の回転方向の水流を阻止し、回転体１７の回転による遠心力の作用によって、容易に水が回転体１７内外周を上昇できるようにしたものである。
【００１７】
また、前記水流阻止手段２４は、外周から中央部の挿通穴２５に向かって緩やかに下り傾斜して形状によって、上方の送風筒６や多孔体２０で微細化されなかった比較的大粒の水滴を受けて、この水滴が直接貯水室８水面に落下して発生するバシャ、バシャという落下音も阻止することができ、水滴を滑らかに貯水室８へ戻すことができる。
【００１８】
２７は回転体１７と多孔体２０との回転により発生したナノミスト及び負イオンを、送風機４の駆動で処理室７上部の吹出口２８から放出させる流通路で、該流通路２７は送風筒６と水流阻止手段２４との隙間から、処理室７と案内筒５、送風筒６間を上昇して吹出口２８に向かう流路で構成されている。
【００１９】
２９は貯水室８と連通している通水路１１に備えられ、常時閉弁側に押圧されている排水弁で、給水タンク９が定水位室１０にセット（収納）されることで、図示しない圧縮バネによって常時押し上げられているロット３０が押し下げられて、ロット３０の下端が係止金具３１をロックして排水弁２９が閉弁状態とされ、給水タンク９がセットされている時は貯水室８内の残水の排水を確実に阻止するものであり、給水タンク９が所定の収納場所から取り外されると、ロット３０が圧縮バネによって上方に押し上げられ、係止金具３１のロックが解除されて、排水弁２９は開弁可能な状態になる。
【００２０】
３２は貯水室８内の残水の排水を受ける上面開放の排水トレーで、器具本体１内に出し入れ自在に備えられ、正面には手掛け部３３が形成されており、その容積は貯水室８の残水を十分に収容できる大きさとしているものである。また、この排水トレー３２は内方後方に突出壁３４が形成され、排水レバー３５が下げられると係止金具３１が排水弁２９を押圧して開弁させ、その時、排水レバー３５の下端が突出壁３４より下方で且つ外側に位置し、排水中に排水トレー３２が抜き取られるのを突出壁３４と排水レバー３５とが係合することで防止でき、排水が終了し排水レバー３５を引き上げて元に戻せば、係止金具３１の押圧が解除されて排水弁２９は閉弁されるので、使用者は、排水トレー３２を容易に引き抜くことができ、中に溜められた排水を台所等の排水口に排水できる。
【００２１】
３６は駆動軸１８が貫通した貯水室８とカバー体１４との間の駆動軸１８途中に備えられた傘状の遮蔽板で、貯水室８から漏れた水が駆動軸１８部分を伝わって駆動モータ１３内に浸入するのを防止するものである。
【００２２】
３７は給水タンク９の給水口キャップで、図示しない内装した弁機構が固定された支持部で押し上げられることで、給水タンク９から定水位室１０に給水されるものである。また、３８は給水タンク９を出し入れする時に開閉するタンク蓋、３９は蓋体２を着脱するための持ち手、４０は吹出口２８に備えられ、室内に供給されるナノミスト及び負イオンの吹き出し方向を変更する風向板である。
【００２３】
４１は器具本体１の表面に備えられ、複数のスイッチが設置された操作部であり、この操作部４１には、駆動モータ１３を駆動させて送風機４及び回転体１７を回転駆動し、室内に微細化したミストを送風するミスト運転を開始する運転スイッチ４２と、駆動モータ１３の回転数を変化させて吹出口２８からの送風量を「強」と「弱」に設定可能な風量スイッチ４３と、加熱ヒータ２２によって貯水室８内の水を所定温度まで高める温ミスト運転を行う温ミストスイッチ４４と、運転開始から１時間または２時間経過後に駆動モータ１３を駆動停止させ、ミスト運転を停止させる切タイマースイッチ４５とが備えられており、各スイッチが操作されたら、各スイッチの上部に設置された所定のランプを点灯させる。
【００２４】
４６は前記操作部４１からの入力信号や、温度センサ２３及びフロートセンサ１２の検知信号を受けて、加熱ヒータ２２及び駆動モータ１３の動作を制御する制御部であり、この制御部４６には、ミスト運転時の送風量の強弱によって変化する設定温度となるよう加熱ヒータ２２の出力を制御するヒータ制御手段４７と、ミスト運転時の送風量の強弱によって変化する設定風量となるよう駆動モータ１３の出力を制御するモータ制御手段４８と、ミスト運転中にフロートセンサ１２が水位無しを検知した場合、加熱ヒータ２２および駆動モータ１３の駆動を停止させ、操作部４１に設置された給水ランプ４９を点灯させ、ミスト運転を停止させてエラーを報知するエラー停止手段５０とが備えられている。
【００２５】
なお、運転スイッチ４２をＯＦＦにする前の運転状態は制御部４６の記憶回路内に記憶されるため、例えば、運転スイッチ４２をＯＦＦする直前の風量が「強」であれば、次に運転スイッチ４２をＯＮした時の風量は「強」で開始され、また、運転スイッチ４２をＯＦＦする直前に温ミスト運転を行っていれば、次に運転スイッチ４２をＯＮした時は加熱ヒータ２２を駆動させて温ミスト運転を開始する。
【００２６】
次に、一実施形態のミスト運転開始時の制御について図４のフローチャートに基づいて説明する。
まず、制御部４６は、運転スイッチ４２が操作されたか判断し（ステップＳ１０１）、運転スイッチ４２が操作されていれば、貯水室８内に設置された温度センサ２３で検知された貯水室８内の貯水の温度Ｔを確認する（ステップＳ１０２）。
【００２７】
ステップＳ１０２で温度センサ２３で検知された温度Ｔを確認したら、制御部４６は、検知された温度Ｔが０℃未満か判断し（ステップＳ１０３）、検知された温度Ｔが０℃未満であれば、貯水室８内にある水は凍結しているとして、モータ制御手段４８が駆動モータ１３の駆動を停止させ、ヒータ制御手段４７が加熱ヒータ２２をＯＮして、ミスト運転字の送風量が「強」の時の出力にすることで、貯水室８内を加熱する（ステップＳ１０４）。
【００２８】
ステップＳ１０４で加熱ヒータ２２をＯＮしたら、制御部４６は、温度センサ２３で検知された貯水室８内の貯水の温度Ｔを確認し、検知された温度Ｔが所定値である０℃以上か判断して（ステップＳ１０５）、検知された温度Ｔが０℃以上であれば、貯水室８内にある水は解氷されたとして、モータ制御部４８が駆動モータ１３の駆動を開始させ、前回の運転スイッチ４２ＯＦＦ時の運転モードが通常のミスト運転か、もしくは加熱ヒータ２２をＯＮした温ミスト運転か判断し、通常のミスト運転だった場合は加熱ヒータ２２をＯＦＦし、温ミスト運転だった場合は、前回の温ミスト運転停止時の送風量の設定に基づいて加熱ヒータ２２の出力を変化させ、ミスト運転を継続する（ステップＳ１０６）。
【００２９】
なお、ステップＳ１０３で温度センサ２３で検知された温度Ｔが０℃以上であると判断したら、貯水室８内の水は凍結していないとして、制御部４６は、ステップＳ１０６で駆動モータ１３の駆動を開始させ、前回の運転停止時の運転モードに基づいて加熱ヒータ２２をＯＮ／ＯＦＦし、ミスト運転を開始する。
【００３０】
また、ステップＳ１０４で加熱ヒータ２２をミスト運転時の送風量が「強」の時の出力にしているが、温度センサ２３で検知された温度によってヒータの出力を変化させてもよく、例えば、運転スイッチ４２操作後に温度センサ２３で検知された温度Ｔについて、−５℃＞Ｔであれば送風量「強」時の出力にして、０℃＞Ｔ≧−５℃であれば送風量「弱」時の出力で加熱ヒータ２２をＯＮにすることで、貯水室８内の温度をすばやく温め、かつ加熱ヒータ２２での消費電力を低下させることができる。
【００３１】
以上のように、運転開始時に貯水室８内の温度を温度センサ２３で検知し、検知された温度が０℃以下であれば加熱ヒータ２２をＯＮして、温度センサ２３で検知される温度が０℃以上となるまで貯水室８内の貯水を加熱するので、器具本体１の周囲の温度が低く貯水室８内の貯水が凍結して、駆動モータ１３に接続された駆動軸１８が動作不能となることがなく、確実に回転体１７を回転駆動させて貯水室８内の貯水を汲み上げて破砕し、室内にナノミストと負イオンを供給可能となる。
【００３２】
なお、本実施形態で説明した際に用いた数値や構成は本発明の趣旨を逸脱しない範囲で変更可能であり、例えば、貯水室８内の温度が３℃未満になったら、貯水室８内の水が凍結する虞があるとして加熱ヒータ２２をＯＮ状態にして、温度センサ２３で検知された温度が３℃以上になったら、加熱ヒータ２２をＯＦＦにして駆動モータ１３の駆動を開始させる制御であってもよく、適宜変更可能である。
【符号の説明】
【００３３】
１    器具本体
４    送風機
６    送風筒
８    貯水室
１３    駆動モータ
１７    回転体
１８    駆動軸
２０    多孔体
２２    加熱ヒータ
２３    温度センサ
４２    運転スイッチ
４６    制御部
【図１】
2014142084.tif 000003
【図２】
2014142084.tif 000004
【図３】
2014142084.tif 000005
【図４】
2014142084.tif 000006